(57)【要約】【課題】操作表示装置の利用効率を向上する。【解決手段】５分の設定時間に対応したボタンＢ５上でタッチパネルが操作されると、マイコン部５０は、内蔵タイマに５分の設定時間を設定する。そして、カウントダウン開始に対応したボタンＢ１４上でタッチパネルが操作されると、マイコン部５０は、内蔵タイマのカウントダウンを開始し、カウントダウンが完了すればスピーカ部５５からカウントダウン完了報知音を鳴動させる。このように本実施形態の操作表示装置ＣＶはカウントダウンタイマとして使用することができ、操作表示装置ＣＶを利用する機会が増えるために利用効率を向上することができる。【選択図】図１
2009260827.tif 000002
【特許請求の範囲】
【請求項１】
操作入力を受け付ける操作入力受付手段と、操作入力受付手段で受け付ける操作入力に対応した処理を実行する処理手段と、処理手段の処理結果を表示する表示手段と、処理手段の処理結果に応じた音を鳴動する鳴動手段と、設定時間をカウントダウンするカウントダウンタイマ手段とを備え、
処理手段は、操作入力受付手段で受け付ける操作入力に基づいて前記設定時間を決定する設定時間決定処理と、操作入力受付手段で受け付ける操作入力に基づいてカウントダウンタイマ手段に設定時間のカウントダウンを開始させるカウントダウン開始処理と、カウントダウンタイマ手段が設定時間のカウントダウンを完了したときに鳴動手段からカウントダウン完了報知音を鳴動させるカウントダウン完了報知処理とを実行することを特徴とする操作表示装置。
【請求項２】
時刻をカウントする時計手段を備え、
処理手段は、操作入力受付手段で受け付ける操作入力に基づいて設定時刻を決定する設定時刻決定処理と、時計手段がカウントする現在時刻が前記設定時刻と一致したときに鳴動手段から設定時刻報知音を鳴動させる設定時刻報知処理とを実行することを特徴とする請求項１記載の操作表示装置。
【請求項３】
処理手段は、カウントダウンタイマ手段が前記設定時間のカウントダウンを完了するまでの残時間若しくは時計手段がカウントする現在時刻から前記設定時刻までの残時間を知らせるための残時間報知音を鳴動手段から鳴動させる残時間報知処理を実行することを特徴とする請求項１又は２記載の操作表示装置。
【請求項４】
前記各手段を収納するとともに壁面に埋込配設されるハウジングを備えたことを特徴とする請求項１〜３の何れか１項に記載の操作表示装置。
【請求項５】
ネットワークを通して他の操作表示装置と通信する通信手段を備え、
処理手段は、前記処理の処理結果を通信手段から他の操作表示装置に伝達する伝達処理と、通信手段を介して他の操作表示装置から伝達される前記処理結果を報知するための報知音を鳴動手段から鳴動させる報知処理とを実行することを特徴とする請求項１〜４の何れか１項に記載の操作表示装置。
【発明の詳細な説明】
【技術分野】
【０００１】
本発明は、押釦スイッチなどの操作に応じた処理を実行するとともに処理結果を液晶ディスプレイなどに表示する操作表示装置に関するものである。
【背景技術】
【０００２】
従来の操作表示装置として、特許文献１に記載されているインターホンシステムのインターホン親機や、特許文献２に記載されている住宅監視制御システムの表示制御装置などがある。
【０００３】
例えば、特許文献１に記載されているインターホン親機の場合、モニタ釦が押操作されるとドアホン子機のカメラを起動し、当該カメラで撮像された映像を受け取ってモニタ画面に表示する処理が行われる。
【特許文献１】特開２００８−３４９９３号公報
【特許文献２】特開２００７−２４１４４９号公報
【発明の開示】
【発明が解決しようとする課題】
【０００４】
ところで、上述のような操作表示装置は住宅の居間（リビング）や台所（キッチン）などに設置されて常時稼働しており、何らかの操作入力が受け付けられると当該操作入力に対応する処理が直ちに実行され且つその処理結果が表示されるという特徴がある。しかしながら、従来の操作表示装置では常時稼働はしているものの、１日のうちで何らかの処理を実行し且つ処理結果を表示している時間は非常に短く、例えば、インターホン親機では１日のうちで一度も操作がされないことがよくある。このように従来の操作表示装置は利用効率が相当に低いものであった。
【０００５】
本発明は上記事情に鑑みて為されたものであり、その目的は、利用効率を向上することができる操作表示装置を提供することにある。
【課題を解決するための手段】
【０００６】
請求項１の発明は、上記目的を達成するために、操作入力を受け付ける操作入力受付手段と、操作入力受付手段で受け付ける操作入力に対応した処理を実行する処理手段と、処理手段の処理結果を表示する表示手段と、処理手段の処理結果に応じた音を鳴動する鳴動手段と、設定時間をカウントダウンするカウントダウンタイマ手段とを備え、処理手段は、操作入力受付手段で受け付ける操作入力に基づいて前記設定時間を決定する設定時間決定処理と、操作入力受付手段で受け付ける操作入力に基づいてカウントダウンタイマ手段に設定時間のカウントダウンを開始させるカウントダウン開始処理と、カウントダウンタイマ手段が設定時間のカウントダウンを完了したときに鳴動手段からカウントダウン完了報知音を鳴動させるカウントダウン完了報知処理とを実行することを特徴とする。
【０００７】
請求項１の発明によれば、いわゆるカウントダウンタイマとして使用することができるために利用効率を向上することができる。
【０００８】
請求項２の発明は、請求項１の発明において、時刻をカウントする時計手段を備え、
処理手段は、操作入力受付手段で受け付ける操作入力に基づいて設定時刻を決定する設定時刻決定処理と、時計手段がカウントする現在時刻が前記設定時刻と一致したときに鳴動手段から設定時刻報知音を鳴動させる設定時刻報知処理とを実行することを特徴とする。
【０００９】
請求項２の発明によれば、いわゆるアラーム時計として使用することができるために利用効率をさらに向上することができる。
【００１０】
請求項３の発明は、請求項１又は２の発明において、処理手段は、カウントダウンタイマ手段が前記設定時間のカウントダウンを完了するまでの残時間若しくは時計手段がカウントする現在時刻から前記設定時刻までの残時間を知らせるための残時間報知音を鳴動手段から鳴動させる残時間報知処理を実行することを特徴とする。
【００１１】
請求項３の発明によれば、設定時刻までの残時間を逐次知ることができるため、カウントダウンタイマとしての使い勝手が向上する。
【００１２】
請求項４の発明は、請求項１〜３の何れか１項に発明において、前記各手段を収納するとともに壁面に埋込配設されるハウジングを備えたことを特徴とする。
【００１３】
請求項４の発明によれば、壁面に見栄えよく配設することができる。
【００１４】
請求項５の発明は、請求項１〜４の何れか１項の発明において、ネットワークを通して他の操作表示装置と通信する通信手段を備え、処理手段は、前記処理の処理結果を通信手段から他の操作表示装置に伝達する伝達処理と、通信手段を介して他の操作表示装置から伝達される前記処理結果を報知するための報知音を鳴動手段から鳴動させる報知処理とを実行することを特徴とする。
【００１５】
請求項５の発明によれば、カウントダウンタイマやアラーム時計の機能を多箇所で連動して使用することができる。
【発明の効果】
【００１６】
本発明によれば、操作表示装置の利用効率を向上することができる。
【発明を実施するための最良の形態】
【００１７】
以下、特許文献２に記載されている住宅設備監視制御システムの表示制御装置（以下、「操作表示装置」と呼ぶ。）に本発明の技術思想を適用した実施形態について、図面を参照して詳細に説明する。
【００１８】
まず、本発明に係る操作表示装置ＣＶを説明する前に本実施形態の住宅設備監視制御システムについて説明する。本実施形態の住宅設備監視制御システムは、図４に示すように住宅内に設置されたコントローラＣ１，Ｃ２，Ｃ３が住宅設備の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続される構成管理装置ＴＭと、構成管理装置ＴＭにＬＡＮケーブルを介して接続される複数（図示例では、３つ）の端末装置（通信機能やウェブブラウザを搭載したテレビ受像機ＴＶ、パーソナル・コンピュータＰＣ並びに操作表示装置ＣＶ）とを備え、これら複数のコントローラＣと構成管理装置ＴＭと端末装置とが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE 802.3u）規格などに準拠したローカルエリアネットワーク（ＬＡＮ）であって、ハブに相当する構成管理装置ＴＭに、ネットワーク端末に相当する各サブシステムＳＳｎのコントローラＣｎや端末装置（テレビ受像機ＴＶ、パーソナルコンピュータＰＣ並びに操作表示装置ＣＶ）などがスター配線で接続されている。さらに構成管理装置ＴＭは、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。
【００１９】
また、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅設備の制御や監視を行うことができる。センタ装置ＳＶは、ネットワーク機能を有する汎用のコンピュータ装置で構成されており、携帯電話機ＭＰ等の端末装置からインターネットを通じて送信されるコントローラＣｎ宛のメッセージやコントローラＣｎから宅内ネットワークに属さない端末装置に宛て送信されるメッセージを中継する機能を有している。
【００２０】
次に、個々のサブシステムＳＳｎについて説明する。
【００２１】
サブシステムＳＳ１は、照明器具や空調機器（エアコン）並びに電気錠等の住宅設備（設備機器）Ｘｍ（ｍ＝１，２，…）と、設備機器Ｘｍの制御並びに監視を行うコントローラ（以下、設備機器コントローラと呼ぶ。）Ｃ１と、住宅における使用電流を計測する電流計測装置Ｄとを備えている。
【００２２】
設備機器コントローラＣ１は、宅内ネットワーク（又は宅内ネットワークと外部ネットワーク）を通じて端末装置から制御要求のメッセージを受け取ったときに各設備機器Ｘ１，Ｘ２を個別に制御して運転（照明器具Ｘ２の場合は点灯）と停止（照明器具Ｘ２の場合は消灯）を切り換え、宅内ネットワーク（又は宅内ネットワークと外部ネットワーク）を通じて端末装置から監視要求のメッセージを受け取ったときに各設備機器Ｘ１，Ｘ２の動作状態（運転＜点灯＞又は停止＜消灯＞）を個別に取得するとともに、制御要求や監視要求に対する応答（各設備機器Ｘ１，Ｘ２の動作状態）のメッセージを宅内ネットワーク（又は宅内ネットワークと外部ネットワーク）を通して要求メッセージの送信元である端末装置に向けて送信させる機能（制御監視機能）を有する。また、設備機器コントローラＣ１では、自己の配下にある設備機器Ｘ１〜Ｘ４の名称並びに動作状態を文字や記号で表示するための多数のウェブページ（ウェブページ群）を保持しており、端末装置からの要求に応じて当該ウェブページ群の中から適切なウェブページを選んで宅内ネットワーク（又は宅内ネットワークと外部ネットワーク）を通して端末装置に提供（配信）する機能（ウェブサーバ機能）を有している。
【００２３】
電流計測装置Ｄは、住宅用分電盤内に収容され、電流センサＣＴを用いて住宅における使用電流量を計測するとともに当該計測値が予め決められている上限値を超えた場合、設備機器コントローラＣ１に機器停止（電源オフ）指令を送信するか、あるいは直接設備機器Ｘ３又はＸ４の電源をオフさせて電力の使い過ぎを防止する機能（デマンド制御機能）と、宅内ネットワーク（又は宅内ネットワークと外部ネットワーク）を通して設備機器コントローラＣ１から与えられる指令に応じて設備機器Ｘ３，Ｘ４の動作制御や状態監視を行う機能とを有している。
【００２４】
また、サブシステムＳＳ２は、住宅内における異常発生を検知する１乃至複数種類のセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワーク（又は宅内ネットワークと外部ネットワーク）を通じて伝送するコントローラ（以下、セキュリティコントローラと呼ぶ。）Ｃ２とで構成されるセキュリティシステムである。
【００２５】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガスあるいはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。
【００２６】
セキュリティ受信器ＳＲは、セキュリティ機器Ｙ１，Ｙ２から送信された無線信号（若しくは有線信号）を受信することで検知情報を収集し、さらに当該検知情報に対応した処理、例えば、火災やガス漏れあるいは不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。
【００２７】
セキュリティコントローラＣ２は、セキュリティ受信器ＳＲから受け取った検知情報を応答メッセージとして宅内ネットワーク（又は宅内ネットワークと外部ネットワーク）を通じて端末装置に送信する機能（警報機能）や、端末装置から制御要求のメッセージを受け取ったときにセキュリティ受信器ＳＲにコマンド（切換指令）を送信してセキュリティ受信器ＳＲの動作状態（警戒状態又は非警戒状態）を切り換えたり、あるいはセキュリティ受信器ＳＲによる警報音の鳴動を停止させたり、端末装置から監視要求のメッセージを受け取ったときに通信部３２を介してセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージを宅内ネットワーク（又は宅内ネットワークと外部ネットワーク）を通して要求メッセージの送信元である端末装置に向けて送信させる機能（制御監視機能）を有する。また、セキュリティコントローラＣ２は、自己の配下にあるセキュリティ受信器ＳＲの動作状態等を文字や記号で表示するための多数のウェブページ（ウェブページ群）を保持しており、端末装置からの要求に応じて当該ウェブページ群の中から適切なウェブページを選んで宅内ネットワーク（又は宅内ネットワークと外部ネットワーク）を通して端末装置に提供（配信）する機能（ウェブサーバ機能）を有している。
【００２８】
サブシステムＳＳ３は、住戸外に設置されるカメラ付きドアホン子器（以下、ドアホン子器と略す。）ＤＳと、人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像を外部ネットワークを通じてセンタ装置ＳＶに伝送するコントローラ（以下、画像転送コントローラと呼ぶ。）Ｃ３とで構成されるインターホンシステムである。
【００２９】
ドアホン子器ＤＳは、通話用のマイクロホン並びにスピーカや来訪者を撮像するためのカメラを具備し、マイクロホンで集音した通話音声を通話線を介してインターホン親機ＩＭに伝送し且つインターホン親機ＩＭから通話線を介して伝送される通話音声をスピーカから鳴動させる通話機能と、呼出釦が押操作されたときに通話線を介してインターホン親機ＩＭに呼出信号を送信する呼出機能と、カメラ（例えば、動画像を出力するＣＣＤカメラ）で撮像された画像を周波数変調して通話音声に多重化することで通話線を介してインターホン親機ＩＭに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。なお、ドアホン子器ＤＳに伝送された画像は通話線を介してインターホン親機ＩＭに転送される。
【００３０】
一方、インターホン親機ＩＭは、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００３１】
而して、来訪者がドアホン子器ＤＳの呼出釦を押操作すると、常時有効である呼出機能によってインターホン親機ＩＭに通話線を介して呼出信号が伝送され、インターホン親機ＩＭにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイに表示される。そして、液晶ディスプレイに表示された画像で来訪者を確認した家人がインターホン親機ＩＭの応答釦を押操作すれば、通話機能によりドアホン子器ＤＳとの間に通話線を介した通話路が形成されてインターホン親機ＩＭとドアホン子器ＤＳとの間においてスピーカとマイクロホンを使った拡声通話（ハンズフリー通話）が可能になるとともに、通話中においてはインターホン親機ＩＭの液晶ディスプレイにドアホン子器ＤＳから伝送される画像を表示させることが可能になる。但し、インターホン親機ＩＭとドアホン子器ＤＳとの間の拡声通話並びに画像伝送は、応答釦が押操作されてから所定時間が経過するか若しくは再度応答釦が押操作されたときに終了する。また、監視領域における不審者の侵入を検知するとセンサカメラＳＣが撮像した監視領域の画像がドアホン子器ＤＳ経由でインターホン親機ＩＭに伝送されて液晶ディスプレイに表示される。
【００３２】
画像転送コントローラＣ３は、ドアホン子器ＤＳ並びにセンサカメラＳＣからインターホン親機ＩＭに伝送された画像データ及び通話音声データをインターホン親機ＩＭから受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び外部ネットワークを通じてセンタ装置ＳＶに転送する機能（転送機能）と、インターホン親機ＩＭの留守録機能が有効であるときにインターホン親機ＩＭが画像及び通話音声を記録した旨を宅内ネットワーク並びに外部ネットワークを通じてセンタ装置ＳＶに通知する機能（来客通知機能）と、帰宅通知機能によってインターホン親機ＩＭに家人の帰宅が通知されたときに宅内ネットワーク並びに外部ネットワークを通じてセンタ装置ＳＶに帰宅通知の応答メッセージを転送する機能（帰宅通知転送機能）とを有する。また、画像転送コントローラＣ３は、メモリに記録している画像の一覧等を開示する多数のウェブページ（ウェブページ群）を保持しており、端末装置からの要求に応じて適切なウェブページを選んで宅内ネットワーク（又は宅内ネットワークと外部ネットワーク）を通して端末装置に提供（配信）する機能（ウェブサーバ機能）を有している。
【００３３】
また、構成管理装置ＴＭにもウェブサーバ機能が搭載されており、各コントローラＣｎがウェブサーバ機能によって提供するウェブページ（各サブシステムＳＳｎのホームページ）への入り口となるウェブページ（いわゆるポータルサイト）を作成し、宅内ネットワークを通じて住宅内の端末装置（テレビ受像機ＴＶやパソコンＰＣあるいは操作表示装置ＣＶ）に提供（配信）している。例えば、操作表示装置ＣＶの液晶ディスプレイ５２ａ（後述する）には、通常、構成管理装置ＴＭで作成された前記ポータルサイトが表示されている。このポータルサイトでは、各コントローラＣｎで提供されるウェブコンテンツ（各サブシステムＳＳｎのホームページ）へのリンクがアイコンで表示されており、何れかのアイコン上でタッチパネルが操作されれば、当該アイコンで表示されたリンク先のＵＲＬ（各コントローラＣｎが保有するウェブページ群のＩＰアドレス）に対して操作表示装置ＣＶからウェブコンテンツの送信要求メッセージが送信される。そして、送信要求メッセージを受信したコントローラＣｎが自己の保有するウェブページ群の中から指定されたウェブページを操作表示装置ＣＶに対して送信すれば、前記ポータルサイトに代わって当該コントローラＣｎのウェブページ（例えば、各サブシステムＳＳｎのホームページ）が液晶ディスプレイ５２ａに表示される。
【００３４】
次に、本発明に係る操作表示装置ＣＶについて説明する。操作表示装置ＣＶは住宅内の壁面に埋込配設されるものであって、図１に示すようにマイコンを主構成要素とするマイコン部５０と、宅内ネットワークのＬＡＮケーブルが接続されマイコン部５０と宅内ネットワークのインタフェースを行うＬＡＮインタフェース部５１と、液晶ディスプレイ５２ａ並びにＬＥＤ（図示せず）とそれらのドライバ回路を有する表示部５２と、押釦スイッチや液晶ディスプレイ５２ａの画面上に配設されるタッチパネルを有して操作入力を受け付ける操作部５３と、マイコンで実行するプログラムや種々のデータを記憶するメモリ部５４と、スピーカとスピーカの駆動回路を有するスピーカ部５５とを備えている。また、図示は省略しているが、商用電源から所望の直流電源を作成してマイコン部５０やその他の各部に動作電源を供給するための電源回路も備えている。マイコン部５０にはウェブブラウザが実装されており、各コントローラＣｎ等から提供されるウェブページ並びに予めメモリ部５４に記憶しているウェブページ（以下、内蔵ウェブページと呼ぶ。）をウェブブラウザで再生して表示部５２の液晶ディスプレイ５２ａに表示するとともに、操作部５３のタッチパネルが操作された位置と液晶ディスプレイ５２ａに表示されているアイコン等との位置関係に応じた操作入力を受け付ける。また、メモリ部５４には予め警報音や音声メッセージのデータが圧縮して格納されており、マイコン部５０が必要に応じてメモリ部５４から読み出したデータを伸長してスピーカ部５５に出力すれば、前記警報音や音声メッセージがスピーカから鳴動される。
【００３５】
また、操作表示装置ＣＶは、図２に示すように矩形箱形の合成樹脂成形品からなるハウジング５６の内部に上述した各部５０〜５５が収納されて構成されており、表示部５２が有する液晶ディスプレイ５２ａの画面がハウジング５６前面の左寄りに配置されている。なお、液晶ディスプレイ５２ａの画面には操作部５３が有するタッチパネル（透明であるから番号は付さない）が一体に設けられている。ハウジング５６前面の右寄り上部には、スピーカ部５５から鳴動する音をハウジング５６の外に放射するための多数の孔５６ａがマトリクス状に並べて貫設されている。また、ハウジング５６前面の右寄り下部には、操作部５３が具備する複数の押釦スイッチ（図示せず）を押操作するための操作釦５３ａ，５３ｂ，５３ｃ，５３ｄが縦横２列に並べて配設されている。さらに、ハウジング５６前面の右寄り中央部には、蓋体５６ｂによって開閉自在に閉塞される凹所（図示せず）が設けられており、凹所の底面に電源入／切やマイコン部５０をリセットするための押釦スイッチ（図示せず）、表示部５２のＬＥＤなどが配設されている。なお、図示は省略するが、ハウジング５６の背面にはＬＡＮインタフェース部５１が有するモジュラジャックの差込口と、商用電源からの電源線が接続される端子部の電線挿入孔とが露出している。
【００３６】
次に、操作表示装置ＣＶを使って設備機器Ｘｍの制御並びに監視を行う場合の動作を、図５のシーケンス図を参照して説明する。
【００３７】
まず、操作部５３の操作釦５３ａが押操作されるとマイコン部５０がＬＡＮインタフェース部５１より構成管理装置ＴＭに対してポータルサイトの送信要求メッセージを送信する（１）。構成管理装置ＴＭは、メモリのリストに登録されているサブシステムＳＳ１〜ＳＳ３のホームページへのリンクを示すアイコンや個々のサブシステムＳＳ１〜ＳＳ３の名称を示す文字等を表示するポータルサイトを予め作成してメモリに記憶しており、当該メッセージを受け取ったときにメモリからポータルサイトのデータを読み出して送信要求元の操作表示装置ＣＶへ送信する（２）。
【００３８】
操作表示装置ＣＶでは、構成管理装置ＴＭから受け取ったウェブページのデータ（ファイル）をマイコン部５０で実行するウェブブラウザで開くことにより、液晶ディスプレイにポータルサイトを表示する（３）。そして、サブシステムＳＳ１のアイコン上でタッチパネルが操作されれば（４）、当該アイコンで表示されたリンク先のＵＲＬ（設備機器コントローラＣ１が保有するウェブページ群のＩＰアドレス）に対して、前記ウェブブラウザによってウェブページの送信要求メッセージが送信される（５）。そして、送信要求メッセージを受信した設備機器コントローラＣ１が自己の保有するウェブページのデータを操作表示装置ＣＶに送信すれば（６）、マイコン部５０で実行するウェブブラウザで当該データ（ファイル）を開くことによりサブシステムＳＳ１のウェブページ（例えば、ホームページ）が表示部５２の液晶ディスプレイに表示される（７）。このホームページでは、サブシステムＳＳ１に含まれる設備機器Ｘ１〜Ｘ４の名称と設置場所（例えば、「リビングのエアコン」，「リビングの照明」など）を示した文字、各設備機器Ｘ１〜Ｘ４の動作状態を示す文字、各設備機器Ｘ１〜Ｘ４の動作状態を反転させる操作に対応したボタン等が表示され、これらのボタンに各々他のウェブページがリンクしている。従って、ホームページに表示される情報から各設備機器Ｘ１〜Ｘ４の動作状態を監視（確認）することができる（８）。
【００３９】
ここで、何れかの設備機器Ｘｍの動作状態を反転させる制御、例えば、現在点灯している照明器具（設備機器Ｘ２）を消灯させる制御を行う場合、ホームページにおいて設備機器Ｘ４の動作状態を反転させる操作に対応したボタン上でタッチパネルを操作する（９）。すると、前記ウェブブラウザによって当該ボタンが操作されたことを示すメッセージ、つまり、照明器具（設備機器Ｘ２）の消灯制御を要求するメッセージ（要求メッセージ）が宅内ネットワークを通じて設備機器コントローラＣ１のネットワークアドレス宛に送信される（１０）。そして、この要求メッセージを受け取った設備機器コントローラＣ１が照明器具（設備機器Ｘ２）を消灯する（１１）。その後、設備機器コントローラＣ１は照明器具（設備機器Ｘ２）の消灯に対応したウェブページのデータを操作表示装置ＣＶに送信し（１２）、操作表示装置ＣＶのマイコン部５０で実行するウェブブラウザで当該データ（ファイル）を開くことによりサブシステムＳＳ１の他のウェブページが表示部５２の液晶ディスプレイ５２ａに表示される（１３）。当該ウェブページでは、照明器具（設備機器Ｘ２）の動作状態が点灯から消灯に変更されている。
【００４０】
次に、本発明の要旨である操作表示装置ＣＶのカウントダウンタイマ機能について説明する。
【００４１】
操作表示装置ＣＶでは、内蔵ウェブページの一つとして幾つかのツールを選択するためのウェブページＷＰ１をメモリ部５４に記憶している。このツール選択用のウェブページＷＰ１では、図３（ａ）に示すようにカウントダウンタイマを含む３種類のツールに対応したアイコン（ボタン）Ｂ１〜Ｂ３を表示している。そして、表示部５２の液晶ディスプレイ５２ａにウェブページＷＰ１が表示されている状態で「ツール１」のボタンＢ１上でタッチパネルが操作されると、操作部５３がタッチパネルの操作を受け付け、マイコン部５０がメモリ部５４に記憶されているカウントダウンタイマ実行用のウェブページＷＰ２を読み出して表示部５２の液晶ディスプレイ５２ａに表示させる。このウェブページＷＰ２では、図３（ｂ）に示すように複数種類（図示例では６種類）の設定時間に対応したボタンＢ４〜Ｂ９と、後述する複数種類の設定時刻（プリセット１〜３）に対応した３種類のボタンＢ１０〜Ｂ１２と、ボタンＢ４〜Ｂ９に対応付けられた設定時間を変更する際に操作されるボタンＢ１３と、カウントダウンタイマのカウントダウンを開始する際に操作されるボタンＢ１４とを表示している。
【００４２】
例えば、５分の設定時間に対応したボタンＢ５上でタッチパネルが操作されて操作部５３がタッチパネルからの操作入力を受け付けると、マイコン部５０は、内蔵タイマに５分の設定時間を設定するとともに、５分の設定時間に対応したボタンＢ５を反転表示等することで操作者に５分の設定時間が選択されていることを認識させる。そして、カウントダウン開始に対応したボタンＢ１４上でタッチパネルが操作されて操作部５３がタッチパネルからの操作入力を受け付けると、マイコン部５０は、内蔵タイマのカウントダウンを開始し、カウントダウンが完了すればスピーカ部５５からカウントダウン完了報知音を鳴動させる。このように本実施形態の操作表示装置ＣＶはカウントダウンタイマとして使用することができ、操作表示装置ＣＶを利用する機会が増えるために利用効率を向上することができるものである。
【００４３】
また、ウェブページＷＰ２に表示されているボタンＢ１３上でタッチパネルが操作されて操作部５３がタッチパネルからの操作入力を受け付けると、マイコン部５０は、メモリ部５４に記憶されている設定時間変更用のウェブページＷＰ３を読み出して表示部５２の液晶ディスプレイ５２ａに表示させる。このウェブページＷＰ３では、図３（ｃ）に示すようにウェブページＷＰ２と共通のボタンＢ４〜Ｂ１２と、例えば、ボタンＢ４に対応する設定時間を変更する場合であれば当該ボタンＢ４の上下に表示されたボタンＢ１５，Ｂ１６と、変更された設定時間を登録（メモリ部５４に記憶）するためのボタンＢ１７とを表示している。例えば、ボタンＢ１５上でタッチパネルが操作されて操作部５３がタッチパネルからの操作入力を受け付けると、マイコン部５０は、ボタンＢ４に対応する設定時間を１分間隔で増加させる。一方、ボタンＢ１６上でタッチパネルが操作されて操作部５３がタッチパネルからの操作入力を受け付けると、マイコン部５０は、ボタンＢ４に対応する設定時間を１分間隔で減少させる。そして、ボタンＢ１７上でタッチパネルが操作されて操作部５３がタッチパネルからの操作入力を受け付けると、マイコン部５０は、その時点で選択されている時間を設定時間としてメモリ部５４に記憶（登録）するのである。
【００４４】
また、ウェブページＷ２に表示されているプリセット１〜３のボタンＢ１０〜Ｂ１２上でタッチパネルが操作されて操作部５３がタッチパネルからの操作入力を受け付けると、マイコン部５０は、各ボタンＢ１０〜Ｂ１２に対応してメモリ部５４に予め登録（記憶）されているプリセット時刻（設定時刻）を読み出して表示部５２の液晶ディスプレイ５２ａに表示させる。そして、ボタンＢ１４上でタッチパネルが操作されて操作部５３がタッチパネルからの操作入力を受け付けると、マイコン部５０は、内蔵時計で計時する現在時刻が設定時刻に達するまでの残時間を逐次演算し、残時間がゼロになったとき、すなわち、現在時刻が設定時刻に一致したときにスピーカ部５５から設定時刻報知音を鳴動させる。このように本実施形態の操作表示装置ＣＶは、いわゆるアラーム時計として使用することができ、操作表示装置ＣＶを利用する機会が増えるために利用効率を向上することができるものである。
【００４５】
ここで、カウントダウンタイマとして使用する場合並びにアラーム時計として使用する場合において、カウントダウンタイマ手段たる内蔵タイマが設定時間のカウントダウンを完了するまでの残時間若しくは時計手段たる内蔵時計がカウントする現在時刻から設定時刻までの残時間を知らせるための残時間報知音をスピーカ部５５から逐次鳴動させるようにしても構わない。例えば、残時間が３０分、１５分、１０分、５分、１分となったときに、それぞれ「設定時間（又は設定時刻）の○○分前です」というような音声メッセージをスピーカ部５５から鳴動させることが望ましい。尚、このような音声メッセージは、圧縮された状態でメモリ部５４に格納される。
【００４６】
このように設定時間に達するまでの残時間又は現在時刻から設定時刻までの残時間を逐次報知した場合、例えば、登校時刻や出勤時刻をプリセット時刻に登録しておくことによって、家族が各々時計を見て時刻を確認しなくても音声メッセージを聞いて残時間を共通認識しながら登校や出勤の支度をすることができ、特に、出勤前の親が登校時刻までの残時間を子供に知らせる手間が省けるとともに、子供に残時間を意識させて自発的な行動を促すことができるという利点がある。
【００４７】
ところで、同一の住宅内に複数の操作表示装置ＣＶが設置されている場合、何れかの操作表示装置ＣＶでカウントダウンタイマ若しくはアラーム時計の機能を実行しているときに、ＬＡＮインタフェース部５１より宅内ネットワークを通して内蔵タイマのカウントダウン完了情報や残時間情報などを他の操作表示装置ＣＶに伝達し、当該他の操作表示装置ＣＶにおいてもカウントダウン完了報知音や残時間を報知するための音声メッセージなどをスピーカ部５５から鳴動すれば、カウントダウンタイマやアラーム時計の機能を多箇所で連動して使用することができて利用効率がさらに向上する。
【００４８】
尚、本実施形態では住宅設備監視制御システムの操作表示装置ＣＶに本発明の技術思想を適用しているが、本発明の技術思想が適用可能な操作表示装置は本実施形態の操作表示装置ＣＶに限定されるものではなく、例えば、特許文献１に記載されているインターホン親機や、本実施形態におけるサブシステムＳＳ３のインターホン親機ＩＭなどにも本実施形態の技術思想を適用することが可能であり、本発明の技術思想を適用することでインターホン親機の利用効率を向上することができる。
【図面の簡単な説明】
【００４９】
【図１】本発明の実施形態を示すブロック図である。
【図２】同上の正面図である。
【図３】（ａ）〜（ｃ）は同上におけるウェブページの説明図である。
【図４】同上を用いた住宅設備監視制御システムのシステム構成図である。
【図５】同上の住宅設備監視制御システムの動作説明図である。
【符号の説明】
【００５０】
５０  マイコン部（処理手段）
５１  ＬＡＮインタフェース部（通信手段）
５２  表示部（表示手段）
５３  操作部（操作入力受付手段）
５４  メモリ部
５５  スピーカ部（鳴動手段）
【図１】
2009260827.tif 000003
【図２】
2009260827.tif 000004
【図３】
2009260827.tif 000005
【図４】
2009260827.tif 000006
【図５】
2009260827.tif 000007